(57)【要約】【課題】スケジュール情報を日付毎に簡単に入力することができ、用紙とサーバ間でスケジュール情報を同期して管理できるスケジュール管理システムを提供すること。【解決手段】用紙２０は、電子ペン１０による記入位置に応じた位置情報を示すパターンと、日付情報と、これに対応したスケジュール記入欄とを備え、電子ペン１０は、用紙２０のパターンに基づいて電子ペン１０により記入が行われた位置情報を取得する位置情報取得部１４１とを備え、ＰＣ３０は、位置情報に基づいて、いずれの日付情報に対応するかを解析する日付解析部と３１２、位置情報に基づいて、電子ペン１０により記入される文字等を解析する文字・記号解析部３１３と、各解析部３１２、３１３の解析結果に応じて、電子ペン１０により記入される文字等を日付毎に対応つけてスケジュール情報を作成するスケジュール管理部３１５とを備えている。【選択図】図２
2008040688.tif 000002
【特許請求の範囲】
【請求項１】
用紙と、上記用紙に文字または図形を記入できる電子ペンと、上記電子ペンと通信可能に接続されたサーバとを有するスケジュール管理システムであって、
上記用紙は、上記電子ペンにより記入が行われる位置に応じた位置情報を示すパターンと、視認可能に印刷された複数の日付情報と、上記複数の日付情報の各々に対応して配設され、上記電子ペンにより文字または記号を記入できるように設けられた複数のスケジュール記入欄とを備え、
上記電子ペンは、上記用紙の上記パターンに基づいて、当該電子ペンにより記入が行われた位置情報を取得する位置情報取得部と、上記位置情報取得部が取得する上記位置情報を上記サーバへ送信する送信部とを備え、
上記サーバは、上記電子ペンから送信される上記位置情報を受信する受信部と、上記受信部が受信する上記位置情報に基づいて、上記複数の日付情報のうち、いずれの日付情報に対応するかを解析する日付解析部と、上記受信部が受信する上記位置情報に基づいて、上記電子ペンにより記入される文字または記号を解析する文字・記号解析部と、上記日付解析部および上記文字・記号解析部の解析結果に応じて、上記電子ペンにより記入される文字または記号を日付毎に対応付けてスケジュール情報を作成するスケジュール管理部とを備えたことを特徴とするスケジュール管理システム。
【請求項２】
上記サーバは、上記スケジュール情報が登録される記憶部と、上記スケジュール情報を指定の送信先へ送信する送信部と、上記スケジュール情報を上記記憶部に登録するか、または、上記スケジュール情報を上記送信部により指定の送信先へ送信するかのいずれかの処理を行うかを判断する処理方法判断部とを有し、
上記処理方法判断部の判断結果に応じて、上記スケジュール情報が処理される請求項１に記載のスケジュール管理システム。
【請求項３】
上記サーバは、上記位置情報と上記日付情報とが互いに対応つけられた対応情報を有し、
上記日付解析部は、上記受信部が受信する上記位置情報を上記対応情報と照合することにより、上記複数の日付情報のうち、いずれの日付情報に対応するかを解析する請求項１に記載のスケジュール管理システム。
【請求項４】
上記文字・記号解析部は、上記受信部が受信する位置情報の変化量と上記サーバに予め登録されている複数の基準フォントの各形状とを比較して、上記電子ペンにより記入される文字または記号を解析する請求項１に記載のスケジュール管理システム。
【請求項５】
上記スケジュール管理部は、日付毎に対応つけられたスケジュール情報中の文字または記号を削除する機能を有し、
上記文字・記号解析部は、上記受信部が受信する位置情報の変化量と、日付毎に対応つけられたスケジュール情報中の文字または記号を削除するために、上記サーバに予め登録されている削除用フォントの形状とを比較して、上記電子ペンにより記入される文字または記号が上記削除用フォントに該当するか否かを解析し、
上記文字・記号解析部が上記電子ペンにより記入される文字または記号が上記削除用フォントに該当すると解析した場合、上記スケジュール管理部が、日付毎に対応つけられたスケジュール情報中の文字または記号を削除する請求項１に記載のスケジュール管理システム。
【請求項６】
上記スケジュール記入欄は、複数の領域に区分けされており、
上記スケジュール管理部は、上記電子ペンにより記入される文字または記号を日付毎且つ上記複数の領域毎に対応付けてスケジュール情報を作成する請求項１に記載のスケジュール管理システム。
【請求項７】
上記複数の領域のうち、少なくとも１つは、時間を記入するための領域である請求項６に記載のスケジュール管理システム。
【請求項８】
上記サーバは、上記受信部が受信する上記位置情報に基づいて、上記複数の領域のうち、予め定められた特定の領域内に、上記電子ペンにより文字または記号が記入されたか否かを判断し、文字または記号が上記特定の領域内に記入されたと判断されたときのみ、上記スケジュール管理部が、上記電子ペンにより記入される文字または記号を日付毎且つ上記複数の領域毎に対応付けてスケジュール情報を作成する請求項６に記載のスケジュール管理システム。
【請求項９】
上記複数の領域の各々には有効エリアが設定されており、
上記文字・記号解析部は、上記電子ペンにより上記有効エリア内に記入された文字または記号のみを解析する請求項６に記載のスケジュール管理システム。
【請求項１０】
上記電子ペンおよび上記サーバの間の通信は、有線接続または無線接続により行われる請求項１に記載のスケジュール管理システム。
【請求項１１】
上記電子ペンおよび上記サーバの間の通信は、Bluetooth（登録商標）方式無線接続またはUSB (Universal Serial Bus)接続により行われる請求項１に記載のスケジュール管理システム。
【発明の詳細な説明】
【技術分野】
【０００１】
本発明は、スケジュール管理システムに関し、特に、用紙と、用紙に文字または図形を記入できる電子ペンと、電子ペンと通信可能に接続されたサーバとを有するスケジュール管理システムに関する。
【背景技術】
【０００２】
近年、スケジュールを管理するためのツールとして、電子手帳装置が広く普及している。
特許文献１では、電子手帳装置の一例が提案されている。特許文献１には、スケジュール情報などの画像データが表示されるディスプレイと、このディスプレイの前面上に取り付けられた透明タッチセンサなどの入力タブレットとを有し、入力ペンの先端を入力タブレットに接触させることにより、日付毎にデータ等の入力ができる電子手帳装置の技術が提案されている。このような電子手帳装置は、大量の情報を電子データとしてコンパクトに携帯できる点で優れている。
【特許文献１】特開平１０−１８７６２６号公報
【発明の開示】
【発明が解決しようとする課題】
【０００３】
しかしながら、特許文献１に記載の電子手帳装置の技術では、専用ボタンを押下してディスプレイ画面を切り換えなければ、希望日のスケジュール入力画面をディスプレイ画面上に表示して、データ入力をすることができなかった。このため、電子手帳装置では、手書き手帳と比較してスケジュールの入力に手間がかかるという問題があった。
また、特許文献１に記載の電子手帳装置の技術では、例えば、当該電子手帳装置を誤って地面に落下してしまった場合や、当該電子手帳装置を水に濡らしてしまった場合に、スケジュール情報等の電子データが消失してしまうという問題があった。更に、電子手帳装置は一般的に個人で使用されるため、スケジュール情報を他人と共有することができなかった。
【０００４】
本発明は、このような問題を解決するためになされたものであり、スケジュール情報を日付毎に簡単に入力することができ、用紙とサーバ間でスケジュール情報を同期して管理できるスケジュール管理システムを提供することを目的とする。
【課題を解決するための手段】
【０００５】
本発明に係るスケジュール管理システムは、用紙と、用紙に文字または図形を記入できる電子ペンと、電子ペンと通信可能に接続されたサーバとを有するスケジュール管理システムであって、用紙は、電子ペンにより記入が行われる位置に応じた位置情報を示すパターンと、視認可能に印刷された複数の日付情報と、複数の日付情報の各々に対応して配設され、電子ペンにより文字または記号を記入できるように設けられた複数のスケジュール記入欄とを備え、電子ペンは、用紙の上記パターンに基づいて、当該電子ペンにより記入が行われた位置情報を取得する位置情報取得部と、位置情報取得部が取得する上記位置情報をサーバへ送信する送信部とを備え、サーバは、電子ペンから送信される位置情報を受信する受信部と、受信部が受信する位置情報に基づいて、複数の日付情報のうち、いずれの日付情報に対応するかを解析する日付解析部と、受信部が受信する位置情報に基づいて、電子ペンにより記入される文字または記号を解析する文字・記号解析部と、日付解析部および文字・記号解析部の解析結果に応じて、電子ペンにより記入される文字または記号を日付毎に対応付けてスケジュール情報を作成するスケジュール管理部とを備えたことを特徴とするものである。
このような構成にしたことにより、スケジュール情報を日付毎に簡単に入力することができ、用紙とサーバ間でスケジュール情報を同期して管理できる。
【０００６】
ここで、サーバは、スケジュール情報が登録される記憶部と、スケジュール情報を指定の送信先へ送信する送信部と、スケジュール情報を記憶部に登録するか、または、スケジュール情報を上記送信部により指定の送信先へ送信するかのいずれかの処理を行うかを判断する処理方法判断部とを有し、処理方法判断部の判断結果に応じて、スケジュール情報が処理される。このようにしたことにより、作成されたスケジュール情報をサーバでも送信先でも利用できる。
【０００７】
また、サーバは、位置情報と日付情報とが互いに対応つけられた対応情報を有し、日付解析部は、受信部が受信する位置情報を対応情報と照合することにより、複数の日付情報のうち、いずれの日付情報に対応するかを解析する。これにより、日付解析部が、複数の日付情報のうち、いずれの日付情報に対応するかを迅速かつ確実に解析できる。
【０００８】
ここで、文字・記号解析部は、受信部が受信する位置情報の変化量とサーバに予め登録されている複数の基準フォントの各形状とを比較して、電子ペンにより記入される文字または記号を解析してもよい。このような構成にしたことにより、用紙に記入される文字または記号を、容易に基準フォントに対応させて、スケジュール情報としてサーバに登録できる。
【０００９】
また、スケジュール管理部は、日付毎に対応つけられたスケジュール情報中の文字または記号を削除する機能を有し、文字・記号解析部は、受信部が受信する位置情報の変化量と、スケジュール情報として日付毎に対応されているスケジュール情報中の文字または記号を削除するために上記サーバに予め登録されている削除用フォントの形状とを比較して、電子ペンにより記入される文字または記号が削除用フォントに該当するか否かを解析し、文字・記号解析部が電子ペンにより記入される文字または記号が削除用フォントに該当すると解析した場合、スケジュール管理部が、日付毎に対応つけられたスケジュール情報中の文字または記号を削除してもよい。このような構成にしたことにより、既に作成されているスケジュール情報中の文字または記号を簡単に削除できる。
【００１０】
また、スケジュール記入欄は、複数の領域に区分けされており、スケジュール管理部が、電子ペンにより記入される文字または記号を日付毎且つ上記複数の領域毎に対応付けてスケジュール情報を作成するようにしてもよい。このような構成にしたことにより、複数種類のカテゴリーに分けて、スケジュール情報を日付毎に簡単に入力することができる。
【００１１】
また、複数の領域のうち、少なくとも１つは、時間を記入するための領域である。このような構成にしたことにより、時間情報を加えて、スケジュール情報を日付毎に簡単に入力することができる。
【００１２】
また、サーバは、受信部が受信する位置情報に基づいて、複数の領域のうち、予め定められた特定の領域内に、電子ペンにより文字または記号が記入されたか否かを判断し、文字または記号が特定の領域内に記入されたと判断されたときのみ、スケジュール管理部が、電子ペンにより記入される文字または記号を日付毎且つ複数の領域毎に対応付けてスケジュール情報を作成するようにしてもよい。このような構成にしたことにより、例えば、記入ミスなどの不要なスケジュール情報の作成を最小限に抑えることができる。
【００１３】
また、複数の領域の各々には有効エリアが設定されており、文字・記号解析部は、電子ペンにより有効エリア内に記入された文字または記号のみを解析するようにしてもよい。このような構成にしたことにより、日付解析部および文字・記号解析部は、有効エリア外にはみ出した文字または記号を除いて、電子ペンにより記入された文字または記号を解析するので、有効エリア外にはみ出して記入された不要なスケジュール情報がサーバに登録されるのを抑止することができる。
【００１４】
ここで、電子ペンおよびサーバの間の通信は、有線接続または無線接続により行われている。このとき、電子ペンおよびサーバの間の通信は、Bluetooth方式無線接続またはUSB接続により行われている。このように構成することにより、既存の通信手段を利用して、コストの削減をすることができる。
【発明の効果】
【００１５】
本発明によれば、スケジュール情報を日付毎に簡単に入力することができ、用紙とサーバ間でスケジュール情報を同期して管理できる。
【発明を実施するための最良の形態】
【００１６】
発明の実施の形態．
本発明の実施の形態に係るスケジュール管理システムについて、図に基づいて説明する。
図１は、本発明に係る実施の形態に係るスケジュール管理システムの全体構成を示す概略模式図である。図２は、本発明に係る実施の形態に係るスケジュール管理システムの概略構成を示すブロック図である。なお、図２では、電子ペン１０の構成については主要な部分のみ示している。図３は、電子ペンの概略構成を示す模式図である。図４は、アノト用紙の構成例を示す図である。
【００１７】
図１に示されるように、本発明の実施の形態に係るスケジュール管理システム１は、電子ペン１０と、アノト用紙２０と、サーバとしてのパソコン（Personal Computer：以下、ＰＣと称する）３０とを備えている。
ここで、電子ペン１０およびＰＣ３０の間は、互いに通信できるように接続されている。なお、電子ペン１０およびＰＣ３０の間に、更に携帯電話機などの携帯端末（不図示）を設けてもよい。この場合は、電子ペン１０およびＰＣ３０の間は、携帯端末を介して、互いに通信できるように接続される。この場合、専用のアプリケーションが携帯端末にインストールされていてもよい。
【００１８】
まず、電子ペン１０の構成について、図に基づいて説明する。
図２および図３に示されるように、電子ペン１０は、インクリフィル１１１、圧力センサ１１３、光学モジュール１１５、カメラ１１７、光照射装置１１９、バッテリ１２１、ＣＰＵ１２３、メモリ１２５、情報処理モジュール１２７、クロック１２９、ＵＳＢ（Universal Serial Bus）１３１、無線通信システム１３３、振動子１３５、ＬＥＤ（Light Emitting Diode）１３７、位置情報取得部１４１を備える。ＣＰＵ１２３、メモリ１２５および位置情報取得部１４１は、情報モジュール１２７に含まれている。なお、電子ペン１０は、アノト用紙２０に文字または記号を記入できるものであればよく、ペン形状は任意の形状であっていい。
【００１９】
インクリフィル１１１は、通常の筆記用ペンと同様に、紙にインクを転写することにより筆記結果を記録するインクを保存するものである。このインクリフィル１１１にはポールペン式や万年筆式のものが用いられる。圧力センサ１１３は、使用者が電子ペン１０により手書き入力を行っていることを検知する手段であり、手書き入力中は圧力センサ１１３が圧力を検知する。具体的には、圧力センサ１１３が検知する圧力が一定値以上になったときに、圧力センサ１１３が、電子ペン１０による手書き入力が開始されたことを検知する。その後、電子ペン１０のカメラ１１７およびＬＥＤ１３７がＣＰＵ１２３の制御によって作動し、カメラ１１７により撮像された手書きデータがＣＰＵ１２３の制御によってメモリ１２５に記憶される。
【００２０】
光学モジュール１１５は、光照射装置１１９からの光をカメラ１１７により受光した光学的手段により検出する。カメラ１１７は、光照射装置１１９から照射され、アノト用紙２０により反射した光を受光するための受光装置である。光照射装置１１９は、カメラ１１７により受光するための光を照射する装置である。ここでの光は赤外線を利用するが、カメラ１１７により受光し、光学モジュール１１５により検出可能であれば、赤外線に限らず別の波長の光でもよい。
【００２１】
バッテリ１２１は、電子ペン１０の各部に電力を供給するための電力供給手段である。バッテリ１２１は、乾電池等の一次電池でもよいし、リチウムイオン電池等の二次電池でもよい。更に、バッテリを搭載しないで、ＵＳＢ等のインターフェースを介して電力供給をしてもよい。ここでは、電子ペン１０のキャップ（不図示）を外したときに、電子ペン１０の電源が入り、電子ペン１０のキャップを装着したときに、電子ペン１０の電源が切れるように設定されている。但し、このような設定には限定されない。
【００２２】
ＣＰＵ１２３は、電子ペン１０を制御するための制御手段である。メモリ１２５は、電子ペン１０内のデータを記憶するための記憶手段である。電子ペン１０を用いてアノト用紙２０に文字または記号を記入すると、メモリ１２５には電子ペン１０が読み取った位置情報、時間情報、筆圧などが記憶される。メモリ１２５には、例えば１ＭＢ程度の容量のものを用いている。
【００２３】
クロック１２９は、手書き入力が行われる時間を計測するための時間計測手段である。ＵＳＢ１３１は、電子ペン１０により入力された手書き情報を接続した電子機器に転送するためのデータ送信手段である。無線通信システム１３３は、無線通信手段を備えた他の電子機器に対して手書き情報を送信するためのデータ送信手段である。具体的には、無線通信システム１３３は、送信部として、後述のアノト用紙２０のパターン２０５に基づいて、電子ペン１０により記入が行われた位置情報をＰＣ３０へ送信する。
【００２４】
無線通信手段は、Bluetooth（登録商標）による方式などが用いられるが特に限定されない。ＵＳＢ１３１と無線通信システム１３３は、どちらか一方を備えていればもう一方が備えられていなくても本発明による手書き情報共有システムは動作可能である。すなわち、電子ペン１０がＵＳＢ１３１のみを備えている場合には、ＵＳＢ１３１が送信部として、後述のアノト用紙２０のパターン２０５に基づいて、電子ペン１０により記入が行われた位置情報をＰＣ３０へ送信する。このように通信手段をBluetooth（登録商標）方式やＵＳＢ方式に対応させたことにより、既存の通信手段を利用して、コストの削減をすることができる。
【００２５】
振動子１３５は、振動により情報をユーザーに伝える手段である。ＬＥＤ１３７は、点灯、点滅などにより情報をユーザーに伝える通知手段である。振動子１３５とＬＥＤ１３７は、どちらか一方を備えていればもう一方が備えられてなくてもユーザーに情報を伝えることが可能である。あるいは、ブザー等の音声により通知を行ってもよい。
位置情報取得部１４１は、アノト用紙２０のドットパターン２０５に基づいて、電子ペン１０により記入が行われた位置情報を取得する。
【００２６】
次に、アノト用紙２０の構成について、図に基づいて説明する。
電子ペン１０が手書き入力情報、すなわち、電子ペン１０により記入が行われた位置情報を記録するためには、アノト用紙２０に手書き入力を行う必要がある。
図４に示されるように、アノト用紙２０は、電子ペン１０により記入が行われる位置に応じた位置情報を示すドットパターン２０５と、視認可能に印刷された複数の日付情報２１０と、複数の日付情報２１０の各々に対応して配設され、電子ペン１０により文字または記号を記入できるように設けられた複数のスケジュール記入欄２２０とを備えている。
【００２７】
図４に示されるように、アノト用紙２０は、１ページにあたり、一週間分のスケジュールを記入できるように構成されているが、これに限定されない。また、例えば、複数のアノト用紙２０を用いて１年分の手帳を構成する場合、複数のアノト用紙２０の全てに同一のエリア名が定義されており、複数のアノト用紙２０の各々には、図１に示されるように、個別の用紙アドレス２１が付加されている。
【００２８】
図４に示されるように、アノト用紙２０には、電子ペン１０により記入が行われる位置に応じた位置情報を示すトッドパターン２０５が形成されている。ドットパターン２０５は、例えば０．３ｍｍ間隔の格子２０６の各交点２０７から僅かにずらして配設された同一サイズの点２０８の集まりから構成されている。電子ペン１０のカメラ１１７が点２０８を撮像することにより、電子ペン１０の位置情報取得部１４１が位置情報を取得する。
【００２９】
ここで、点２０８は、光学モジュール１１５により検出可能であれば、人間の眼により識別不可能な色で印刷されていてもよい。例えば、カメラ１１７が赤外線カメラである場合、アノト用紙２０全体が赤外線を反射し、点２０８が赤外線を吸収するインクで印刷されていることにより点２０８を光学モジュール１１５により検出可能である。
【００３０】
また、点２０８は、格子２０６の交点２０７から上下左右のいずれかの方向に僅かにずれた位置に印刷されており、これらの点２０７のずれはそれぞれ４種類のため、２ビットで表現することができる。例えば、３６個（６×６）の交点１２３と、その上下左右に位置する点２０８は、７２ビット（６×６×２）の情報を持つことになる。アノト用紙２０は、３６個の交点２０７の領域毎に点２０８の上下左右のずれの組合せを変えて、位置情報として記録している。
【００３１】
なお、使用者が電子ペン１０によりアノト用紙２０に文字または記号を記入している間、当該電子ペン１０のカメラ１１７が毎秒５０回から１００回に亘りアノト用紙２０を撮影し、当該電子ペン１０の光学モジュール１１５が点２０８の並びを検出する。そして、電子ペン１０の位置情報取得部１４１が、光学モジュール１１５が検出した点２０８の並びからアノト用紙２０の位置情報を取得する。このようにして電子ペン１０は、使用者が手書き入力を行った際にアノト用紙２０のどの位置に記入したかを取得して、メモリ１２５に記録することが可能となる。
【００３２】
図４に示されるように、日付毎に設けられている複数のスケジュール欄２２０の各々は、時間記入欄２２１、カテゴリー記入欄２２２、ノート記入欄２２３の複数の領域に区分けされている。これら全ての記入欄２２１、２２２、２２３の各領域内には、電子ペン１０により記入が行われる位置に応じた位置情報を示すドットパターン２０５が形成されている。また、ＰＣ３０の記憶部３３には、位置情報と日付情報とが互いに対応つけられた対応情報が予め登録されている。すなわち、日付情報に対応された各記入欄２２１、２２２、２２３の各領域に関する情報が、対応情報としてのPaper Application Definition（以下、ＰＡＤと称する）ファイルとして、ＰＣ３０の記憶部３３に記憶されている。そして、ＰＣ３０の日付解析部３１２が、電子ペン１０の位置取得部１４１が取得した位置情報と、ＰＡＤファイルとを比較して照合することで、電子ペン１０により記入された文字または記号が何月何日に対応しているのかを解析し、日付情報を特定する。これにより、日付解析部３１２が、複数の日付情報のうち、いずれの日付情報に対応するかを迅速かつ確実に解析できる。
【００３３】
ここで、時間記入欄２２１には例えば「スケジュール開始の予定時間」が記入され、カテゴリー記入欄２２２には例えば「○」、「×」、「△」、「◎」などの記号が記入され、ノート記入欄２２３には例えば任意の予定件名などが記入される。ここで、カテゴリー記入欄２２２には「○」、「×」、「△」、「◎」などの記号が記入されると説明したが、これに限定されず、例えば、数字やアルファベットなどが記入されてもよい。なお、時間記入欄２２１を設けたことにより、時間情報を加えて、スケジュール情報を日付毎に簡単に作成して、ＰＣ３０の記憶部３３に登録したりすることができる。
【００３４】
次に、ＰＣ３０の構成について、図に基づいて説明する。
図２に示されるように、サーバとしてのＰＣ３０は、電子ペン１０と通信可能に接続されている。図２に示されるように、ＰＣ３０は、アプリケーション部３１と、通信部３２と、記憶部３３と、表示部３４とを備えている。アプリケーション部３１は、通信部３２が電子ペン１０から位置情報などを受信すると、起動されて、所定の処理を開始する。なお、電子ペン１０およびＰＣ３０の間を、携帯端末（不図示）を介して、互いに通信できるように接続することもできる。
【００３５】
図２に示されるように、アプリケーション部３１は、文字・記号有効性判断部３１１と、日付解析部３１２と、文字・記号解析部３１３と、処理方法判断部３１４と、スケジュール管理部３１５とを備えている。
文字・記号有効性判断部３１１は、通信部３２が受信する位置情報に基づいて、電子ペン１０により記入された文字または記号がアノト用紙２０の各記入欄２２１、２２２、２２３の有効エリア内に記入されたものか否かを判断する。
【００３６】
有効エリア外に記入された文字または記号は、日付解析部３１２および文字・記号解析部３１３により解析されない。ここで、有効エリアは各記入欄２２１〜２２３に対応しており、各記入欄２２１〜２２３の５割の高さに満たない領域にはみ出して記入された文字または記号は、日付解析部３１２および文字・記号解析部３１３により解析されない。これにより、後述の日付解析部３１２や文字・記号解析部３１３は、有効エリア外にはみ出した文字または記号を除いて、電子ペン１０により記入された文字または記号を解析するので、有効エリア外にはみ出して記入された不要なスケジュール情報が作成されるのを抑止でき、ＰＣ３０の記憶部３３に登録されたりするのを抑止することができる。
【００３７】
ここで、使用者は、スケジュール記入欄２２０の時間記入欄２２１、カテゴリー記入欄２２２またはノート記入欄２２３のうち、少なくとも１つ以上の記入欄を必須記入欄として、ＰＣ３０の記憶部３３に設定することができる。このとき、文字・記号有効性判断部３１１は、通信部３２が受信する位置情報に基づいて、アノト用紙２０の複数の記入欄２２１、２２２、２２３のうち、予め定められた必須記入欄に、電子ペン１０により文字または記号が記入されたか否かを判断する。
【００３８】
日付解析部３１２は、通信部３２が受信する位置情報に基づいて、複数の日付情報のうち、いずれの日付情報に対応するかを解析する。具体的には、日付解析部３１２が、電子ペン１０の位置取得部１４１が取得した位置情報と、記憶部３３に記憶されているＰＡＤファイルとを比較して照合することで、電子ペン１０により記入された文字または記号が何月何日に対応しているのかを解析し、日付情報を特定する。
【００３９】
文字・記号解析部３１３は、通信部３２が受信する位置情報に基づいて、電子ペン１０により記入される文字または記号を解析する。具体的には、文字・記号解析部３１３は、通信部３２が受信する位置情報の変化量と、記憶部３３に予め登録されている複数の基準フォントの各形状とを比較して、電子ペン１０により記入される文字または記号を解析する。これにより、アノト用紙２０に記入される文字または記号を容易に基準フォントに対応させて、スケジュール情報を作成でき、ＰＣ３０の記憶部３３に登録したりすることができる。ここで、文字・記号解析部３１３は、電子ペン１０によりアノト用紙２０の各記入欄２２１、２２２、２２３の各有効エリア内に記入された文字または記号のみを解析する。
【００４０】
更に、文字・記号解析部３１３は、通信部３２が受信する位置情報の変化量と、スケジュール情報として日付毎に登録されている文字または記号を削除するために、記憶部３３に予め登録されている削除用フォントの形状とを比較して、電子ペン１０により記入される文字または記号が削除用フォントに該当するか否かを解析する。
【００４１】
処理方法判断部３１４は、日付解析部３１２および文字・記号解析部３１３の解析結果に応じて、電子ペン１０により記入される文字または記号を日付毎にスケジュール情報として、スケジュール管理部３１５に対して、記憶部３３に登録処理を行わせるか、または、エクスポート処理を行わせるかの判断を行う。このようにしたことにより、スケジュール管理部３１５により作成されたスケジュール情報をＰＣ３０でも送信先でも使用できる。
【００４２】
ここで、エクスポート処理とは、日付解析部３１２および文字・記号解析部３１３の解析結果に応じて、電子ペン１０により記入される文字または記号を日付毎にスケジュール情報として、例えばｖＣａｌやＣＳＶなどの所定の出力方式で、所定の保存場所（送信先）へ通信部３２により送信することをいう。なお、エクスポート処理の設定は予めＰＣ３０のアプリケーション部３１にて行う。
【００４３】
また、ＰＣ３０側でスケジュール情報の送信先のメールアドレスを設定することにより、エクスポートと同時に、スケジュール情報のファイルをメールで送信できるように設定できる。近年、多くの携帯電話機にはスケジュール管理ツールが搭載されている。また、多くの携帯電話機や携帯情報端末ではスケジュール管理ツールにｖＣａｌ方式を用いているので、例えば、ｖＣａｌ方式でスケジュール情報を携帯電話機や携帯情報端末に送信するように設定した場合、当該携帯電話機側や当該携帯情報端末側で、受信するスケジュール情報を容易に登録することができる。
【００４４】
スケジュール管理部３１５は、日付解析部３１２および文字・記号解析部３１３の解析結果に応じて、電子ペン１０により記入される文字または記号を日付毎に対応付けてスケジュール情報を作成する。ここで、アノト用紙２０のスケジュール記入欄２２０が、複数の記入欄２２１、２２２、２２３の複数の領域に区分けされているときには、スケジュール登録部３１５は、電子ペン１０により記入される文字または記号を日付毎且つ複数の領域毎に対応付けてスケジュール情報を作成する。また、処理方法判断部３１４の判断結果で、作成されたスケジュール情報をＰＣ３０の記憶部３３に登録すると判断された場合、スケジュール管理部３１５は、作成されたスケジュール情報を記憶部３３に登録する。
【００４５】
また、スケジュール管理部３１５は、日付毎に対応つけられたスケジュール情報中の文字または記号を削除する機能を有している。このとき、スケジュール管理部３１５は、文字・記号解析部３１３が電子ペン１０により記入される文字または記号が削除用フォントに該当すると解析した場合、スケジュール情報として日付毎に対応つけられたスケジュール情報中の文字または記号を削除する。これにより、既に作成されているスケジュール情報中の文字または記号を簡単に削除できる。
【００４６】
また、スケジュール記入欄２２０の時間記入欄２２１、カテゴリー記入欄２２２またはノート記入欄２２３のうち、いずれか１つ以上の記入欄が必須記入欄として、ＰＣ３０記憶部３３に設定されている場合、スケジュール管理部３１５は、文字または記号が必須記入欄の領域内に記入されたと判断されたときのみ、電子ペン１０により記入される文字または記号を日付毎且つ複数の領域毎にスケジュール情報を作成する。これにより、記入ミスなどの不要なスケジュール情報の作成を最小限に抑えることができる。
通信部３２は、電子ペン１０の無線通信システム１３３から送信される位置情報を受信する。
【００４７】
記憶部３３には、位置情報と日付情報とが互いに対応つけられた対応情報が予め登録されている。すなわち、日付情報に対応されたアノト用紙２０の各記入欄２２１、２２２、２２３の各領域に関する情報が、対応情報としてのＰＡＤファイルとして、記憶部３３に記憶されている。また、記憶部３３には、複数の基準フォントデータが予め記憶されている。この複数の基準フォントデータは、文字・記号解析部３１３が電子ペン１０により記入される文字または記号を解析するのに使用される。このとき、文字・記号解析部３１３は、通信部３２が受信する位置情報の変化量と複数の基準フォントの各形状とを比較して、文字または記号を解析する。
表示部３４は、例えば、液晶表示装置などにより構成されている。表示部３４は、スケジュール管理部３１５により日付毎に対応つけられて作成されて、記憶部３３に登録されたスケジュール情報を表示する。
【００４８】
次に、本発明の実施の形態に係るスケジュール管理システムの動作説明を図に基づいて行う。図５は、本発明の実施の形態に係るスケジュール管理システムの動作フローを示す図である。
まず、アプリケーションの処理方法の設定をＰＣ３０側で行う（ステップ（ＳＴＥＰ：以下、Ｓと称する）１）。具体的には、処理方法判断部３１４の処理方法の設定や、エクスポートしたスケジュール情報のファイルの保存先の設定や、エクスポートしたスケジュール情報のファイルのメール送信設定や、アノト用紙２０のスケジュール記入欄２２０の各記入欄のカテゴリーの設定や、スケジュール記入欄２２０の必須記入欄の設定などをＰＣ３０側で行う。
【００４９】
処理方法判断部３１４の処理方法の設定では、スケジュール管理部３１５に対して、電子ペン１０により記入される文字または記号が日付毎に対応つけて作成したスケジュール情報を、記憶部３３に登録させるか、または、エクスポート処理を行わせるかの設定をする。ここで、エクスポート処理に設定する場合、例えばｖＣａｌやＣＳＶなどの所定の出力方式や、所定の保存場所（送信先）の設定を行う。なお、これらの設定は、ＰＣ３０のアプリケーション部３１にて行われ、設定情報は記憶部３３に保存される。
【００５０】
カテゴリー名の設定では、予定する分類に用いるカテゴリー名を編集することができる。記号「○」、「×」、「△」、「◎」のそれぞれに設定された文字列を予めよく利用するものに変更しておけば、容易に予定の分類を行うことができる。
スケジュール記入欄２２０の必須記入欄の設定では、スケジュール記入欄２２０の時間記入欄２２１、カテゴリー記入欄２２２またはノート記入欄２２３のうち、少なくとも１つ以上の記入欄を必須記入欄として設定する。
【００５１】
次に、使用者が、電子ペン１０を用いて、アノト用紙２０に文字または記号を記入する（Ｓ２）。具体的には、図４に示されているスケジュール記入欄２２０の時間記入欄２２１、カテゴリー記入欄２２２およびノート記入欄２２３に、電子ペン１０を用いて文字または記号を記入する。
【００５２】
時間記入欄２２１には、例えば、「０：００」〜「２３：５９」の範囲で予定開始時間を記入する。なお、時間記入欄２２１に時間が記入されない場合には、終日の予定として、ＰＣ３０側で取り扱われる。この具体的な設定は、ＰＣ３０のアプリケーション部３１で予め行われる。
【００５３】
カテゴリー記入欄２２２には、予定の分類を記入する。具体的には、例えば「○」、「×」、「△」、「◎」などの記号をカテゴリー記入欄２２２に記入する。なお、予定の分類を行わない場合には、カテゴリー記入欄２２２に記入を行わず、カテゴリー記入欄２２２を空欄とする。
ノート記入欄２２３には、例えば予定件名や内容などを記入する。このノート記入欄２２３に記載される文字または記号の種類は特定されない。予定件名または内容は、１件のみならず、複数件記入することができる。
【００５４】
使用者が電子ペン１０によりアノト用紙２０に文字または記号を記入している間、当該電子ペン１０のカメラ１１７が毎秒５０回から１００回に亘りアノト用紙２０を撮影し、当該電子ペン１０の光学モジュール１１５が点２０８の並びを検出する。そして、電子ペン１０の位置情報取得部１４１、光学モジュール１１５が検出した点２０８の並びからアノト用紙２０の位置情報を取得する。このようにして電子ペン１０は、使用者が手書き入力を行った際にアノト用紙２０のどの位置に記入したかの位置情報を取得して、メモリ１２５に位置情報を記録する。
【００５５】
そして、電子ペン１０の無線通信システム１３３がＰＣ３０へメモリ１２５に記録されている位置情報を送信する（Ｓ２）。このとき、アノト用紙２０に記入している途中で順次、位置情報をＰＣ３０へ送信してもよいし、文字または記号を記入した後に、位置情報をまとめてＰＣ３０へ送信してもよい。
【００５６】
ここで、予めＰＣ３０のスケジュール管理部３１５により作成されたスケジュール情報や、スケジュール管理部３１５が作成した後に記憶部３３に登録されているスケジュール情報を削除する場合について説明する。例えば、取り消し線が、スケジュール情報として日付毎に登録されている文字または記号を削除するための削除用フォントの形状として、記憶部３３に予め登録されているものとする。この場合は、削除対象の文字または記号に重なるように、取り消し線を記入する。
【００５７】
そして、ＰＣ３０の通信部３２が、電子ペン１０から送信される位置情報を受信する（Ｓ２）。電子ペン１０から送信される位置情報が通信部３２により受信されると、ＰＣ３０のアプリケーション部３１が起動する。
次に、日付解析部３１２が、通信部３２が受信する位置情報に基づいて、複数の日付情報のうち、いずれの日付情報に対応するかを解析する（Ｓ３）。具体的には、日付解析部３１２が、電子ペン１０の位置取得部１４１が取得した位置情報と、記憶部３３に記憶されているＰＡＤファイルとを比較して照合することで、電子ペン１０により記入された文字または記号が何月何日に対応しているのかを解析し、日付情報を特定する。
【００５８】
ここで、アノト用紙２０は、アノト用紙２０毎に異なるドットパターン２０５が印刷されており、アノト用紙２０毎に用紙アドレス２１が異なる。アノト用紙２０の記入欄２２１、２２２、２２３の各領域内には、電子ペン１０により記入が行われる位置に応じた位置情報を示すドットパターン２０５が形成されている。また、ＰＣ３０の記憶部３３には、位置情報と日付情報とが互いに対応つけられた対応情報が予め登録されている。すなわち、日付情報に対応された各記入欄２２１、２２２、２２３の各領域に関する情報が、対応情報としてのＰＡＤファイルとして、ＰＣ３０の記憶部３３に記憶されている。
【００５９】
図２に示される２００６年２月６日に対応するスケジュール記入欄２２０のうち、時間記入欄２２１を領域名「１１ｈ」、カテゴリー記入欄を領域名「１１ｃ」、ノート記入欄を領域名「１１ｎ」と定義する。同様に、２００６年２月７日に対応するスケジュール記入欄２２０のうち、時間記入欄２２１を領域名「１２ｈ」、カテゴリー記入欄を領域名「１２ｃ」、ノート記入欄を領域名「１２ｎ」と定義する。すなわち、日付毎に設けられた各記入欄の全てにおいて、互いに異なるドットパターン２０５が形成されている。
【００６０】
そして、ＰＣ３０の日付解析部３１２が、電子ペン１０の位置取得部１４１が取得した位置情報と、ＰＡＤファイルとを比較して照合することで、電子ペン１０により記入された文字または記号が何月何日に対応しているのかを解析し、日付情報を特定する。このように、電子ペン１０によりアノト用紙２０に日付を記入することがなくても、アノト用紙２０に記入された文字または記号に対応する日付情報を特定できる。
【００６１】
次に、文字・記号解析部３１３が、通信部３２が受信する位置情報に基づいて、電子ペン１０により記入される文字または記号を解析する（Ｓ４）。具体的には、文字・記号解析部３１３は、通信部３２が受信する位置情報の変化量と、記憶部３３に予め登録されている複数の基準フォントの各形状とを比較して、電子ペン１０により記入される文字または記号を解析する。これにより、アノト用紙２０に記入される文字または記号を容易に基準フォントに対応させて、スケジュール情報を作成でき、ＰＣ３０の記憶部３３に登録したりできる。
【００６２】
この結果、時間記入欄２２１に記入された文字または記号は、基準フォントに対応した数字データに変換され、カテゴリー記入欄２２２に記入された文字または記号は、基準フォントに対応した記号データに変換され、ノート記入欄２２３に記入された文字または記号は、基準フォントに対応した文字データに変換される。
【００６３】
ここで、時間記入欄２２１に記入された文字または記号が、「０：００」〜「２３：５９」に対応しない範囲で記入されている場合や、時間記入欄２２１に何も記入されてない場合は、文字・記号解析部３１３は、時間記入欄２２１に記入された文字または記号を基準フォントに対応した数字データに変換することなく、終日の予定として扱う。変換された数字は、開始予定時間として使用される。
【００６４】
また、カテゴリー記入欄２２２に記入された文字または記号は、基準フォントに対応した記号データに変換された後、記号毎に設定されている文字列に変換される。すなわち、例えば、「○」は「会議」に変換され、「×」は「外出」に変換され、「△」は「出張」に変換され、「◎」は「プライベート」に変換される。これらの設定は、ＰＣ３０の記憶部３３に予め登録されている。なお、予め設定された「○」、「×」、「△」、「◎」以外の記号がカテゴリー記入欄２２２に記入された場合には、カテゴリーの設定は行われない。変換された文字列は、予定を分類するためのカテゴリーとして使用される。
【００６５】
ノート記入欄２２３に記入された文字または記号は、基準フォントに対応した文字データに変換され、予定の件名や予定内容として使用される。文字・記号解析部３１３は、ノート記入欄２２３に記入された文字または記号の解析に失敗した場合、ノート記入欄２２３は空欄となる。ここでは、ノート記入欄２２３に記入された文字または記号を、文字・記号解析部３１３により文字認識して、基準フォントに対応した文字データに変換するとしたが、ノート記入欄２２３に記入された文字または記号を、画像として記憶部３３に保存してもよい。このように、ノート記入欄２２３に記入された文字または記号を、画像として記憶部３３に保存することにより、文字形状など、当該文字または記号を記入する使用者の個性が反映された形態でスケジュール登録がなされる。
【００６６】
次に、アプリケーション部３１が、スケジュール記入欄２２０の各記入欄２２１、２２２、２２３に取り消し線があるか否かを解析する（Ｓ５）。すなわち、文字・記号解析部３１３は、通信部３２が受信する位置情報の変化量と、日付毎に対応つけられたスケジュール情報中の文字または記号を削除するために、ＰＣ３０の記憶部３３に予め登録されている削除用フォントの形状とを比較して、電子ペン１０により記入される文字または記号が上記削除用フォントに該当するか否かを解析する。
【００６７】
ここで、取り消し線は、スケジュール情報として日付毎に登録されている文字または記号を削除するための削除用フォントの形状として、記憶部３３に予め登録されているものとする。このとき、取り消し線は、例えば、ノート記入欄２２３の横幅の８割以上を占める一筆書きをいう。なお、ノート記入欄２２３の高さに対する基準は特に規定されていないため、取り消し線は横線に特定されない。
取り消し線がある場合、登録されているスケジュール情報の中から、日付と、時間記入欄２２１に記入された時間が一致するものと検索する（Ｓ１０）。ただし、時間記入欄２２１に時間が記入されていない場合は検索を行わない。登録されているスケジュール情報に一致する予定がない場合、当該検索処理を終了する。
【００６８】
アプリケーション部３１が、スケジュール記入欄２２０の各記入欄２２１、２２２、２２３に取り消し線があると解析すると（Ｓ１０）、スケジュール管理部３１５は、スケジュール管理部３１５により作成または登録された予定を検索し、記入された時間と一致したものを予定から削除する。すなわち、文字・記号解析部３１３が電子ペン１０により記入される文字または記号が削除用フォントに該当すると解析した場合、スケジュール管理部３１５が、日付毎に対応されたスケジュール情報中の文字または記号を削除する。そして、処理が終了する。なお、予定の削除は上記Ｓ１の処理方法に関係なく、時間記入欄２２１への時間記入と、ノート記入欄２２３への取り消し線の記入により実行される。また、同一日時に開始する予定は２件以上存在しないため、日付と時間が特定できれば、削除できる。
【００６９】
一方、取り消し線がない場合、アプリケーション部３１に設定された処理方法に従って処理が行われる（Ｓ６〜Ｓ９）。
次に、アプリケーション部３１は、必須記入欄に文字または記号が記入されているか否かをチェックする（Ｓ６）。具体的には、スケジュール記入欄２２０の時間記入欄２２１、カテゴリー記入欄２２２またはノート記入欄２２３のうち、少なくとも１つの記入欄が必須記入欄として、ＰＣ３０の記憶部３３に設定されている場合であって、当該必須記入欄に文字または記号が記入されているとき、アプリケーション部３１により処理され、予定の登録（Ｓ９）または予定のエクスポート処理（Ｓ８）がなされる。一方、当該必須記入欄に文字または記号が記入されていないとき、アプリケーション部３１により処理されず、予定の登録（Ｓ９）または予定のエクスポート処理（Ｓ８）がなされない。
【００７０】
なお、予定の削除に関しては、必須記入欄への記入は無関係であり、時間記入欄２２１に時間と、ノート記入欄２２３に取り消し線とが記入されていれば、アプリケーション部３１が、登録されている予定の検索を行い、日時が一致した予定があれば削除する。
【００７１】
次に、処理方法判断部３１４が、Ｓ１で設定した処理方法に従って、予定の登録処理または予定のエクスポート処理のうち、いずれかの処理を行わせるかの判定を行う（Ｓ７）。すなわち、処理方法判断部３１４は、スケジュール管理部３１５により作成されたスケジュール情報を記憶部３３に登録するか、または、エクスポート処理を行わせるかの判断を行う。
【００７２】
ここで、予定の登録処理または予定のエクスポート処理を行わせる場合、時間記入欄２２１に記入された時間を予定の開始予定時間とし、ノート記入欄２２３に記入された文字または記号を件名とし、カテゴリー記入欄２２２に記入されたカテゴリーをカテゴリー名とする設定を行う。
【００７３】
処理方法判断部３１４が、予定のエクスポート処理を行わせる判断をした場合（Ｓ７）、予定のエクスポート処理を行う（Ｓ８）。具体的には、通信部３２が電子ペン１０から送信される位置情報を受信すると、スケジュール管理部３１５が電子ペン１０により記入される文字または記号を日付毎に対応つけてスケジュール情報を作成し、通信部３２がスケジュール情報をＣＰＵ３１６の制御に従って予め指定された出力方式で予め指定された送信先へエクスポート処理を行う。
【００７４】
本実施形態の説明では、出力方式には例えばｖＣａｌやＣＳＶなどの方式が用いられると説明したが、これに限定されない。また、予め、メールアドレスを設定しておくと、予定をエクスポート処理すると同時にメール送信もできる。最近は、一般的な携帯電話機は、ｖＣａｌ形式に対応しているため、ｖＣａｌ形式でエクスポート処理を行い、携帯電話機にメールで送信することにより、携帯電話機にも容易に予定を登録できる。
【００７５】
処理方法判断部３１４が、予定の登録処理を行わせる判断をした場合（Ｓ７）、予定の登録処理を行う（Ｓ９）。具体的には、スケジュール管理部３１５は、日付解析部３１２および文字・記号解析部３１３の解析結果に応じて、電子ペン１０により記入される文字または記号を日付毎に対応つけてスケジュール情報を作成し、作成されたスケジュール情報をＣＰＵ３１６の制御に従って記憶部３３に登録する。また、アノト用紙２０のスケジュール記入欄２２０が、複数の記入欄２２１、２２２、２２３の領域に区分けされているときには、スケジュール登録部３１５は、電子ペン１０により記入される文字または記号を日付毎且つ複数の領域毎に対応つけてスケジュール情報を作成し、作成されたスケジュール情報をＣＰＵ３１６の制御に従って記憶部３３に登録する。なお、スケジュール管理部３１５は、文字または記号が必須記入欄の領域内に記入されたと判断されたときのみ、電子ペン１０により記入される文字または記号を日付毎且つ複数の領域毎にスケジュール情報として登録する。
【００７６】
ここで、予定の登録処理には、時間記入欄２２１、カテゴリー記入欄２２２、ノート記入欄２２３に記入されたデータを変換した文字や記号や画像を利用する。ＰＣ３０の記憶部３３に記憶されているスケジュール情報は、表示部３４を用いて、使用者の必要なときに閲覧できる。図６および図７は、本発明の実施の形態に係るスケジュール管理システムのスケジュール情報表示画面の一例を示す図である。
【００７７】
図６に示されるように、登録した予定を１ヶ月毎のカレンダーに表示し、それぞれの予定を開くと詳細が表示されるようにする。表示方法は、特に１ヶ月毎のカレンダーに限らず、週毎の表示などでもよい。また、予定をカテゴリー名毎に並べ替えたり、日付順に並び替えたりして表示するようにしてもよい。一覧表示から予定を１件表示すると、図７に示されるような個別表示がなされる。図７に示されるように、スケジュール情報が、件名、開始時刻、本文、カテゴリーの各欄に、区分けされて表示される。
【００７８】
以上に説明したように、本発明に係るスケジュール管理システムでは、ＰＣ３０が、電子ペン１０から送信される位置情報を受信する通信部３２と、通信部３２が受信する位置情報に基づいて、複数の日付情報のうち、いずれの日付情報に対応するかを解析する日付解析部３１２と、通信部３２が受信する位置情報に基づいて、電子ペン１０により記入される文字または記号を解析する文字・記号解析部３１３と、日付解析部３１２および文字・記号解析部３１３の解析結果に応じて、電子ペン１０により記入される文字または記号を日付毎に対応つけてスケジュール情報を作成するスケジュール管理部３１５とを備えたので、スケジュール情報を日付毎に簡単に入力することができ、アノト用紙２０とＰＣ３０との間でスケジュール情報を同期して管理できる。
【００７９】
次に、アノト用紙２０への具体的な記入例について、図に基づいて、説明する。図８〜図１０は、アノト用紙の記入例を示す図である。
図８は、予定の登録処理または予定のエクスポート処理を行う際の最も典型的な記入例である。予定の登録処理または予定のエクスポート処理を行う場合は、どちらも同様の記入方法で予定を記入する。具体的には、図８に示されるように、時間記入欄２２１に開始予定時間を記入し、カテゴリー記入欄２２２にカテゴリー名を設定するための記号を記入し、ノート記入欄２２３に件名などを記入する。ただし、時間記入欄２２１またはカテゴリー記入欄２２２は、記入をしなくてもよい。
【００８０】
時間記入欄２２１に記入しない場合、終日の予定として取り扱われる。カテゴリー記入欄２２２に記入しない場合、カテゴリーによる分類は行わない。
各記入欄２２１、２２２、２２３に記入された手書きの文字または記号は、記憶部３３に予め登録されている標準フォントの文字データへ変換されて利用される。ノート記入欄２２３は標準フォントの文字データへの変換に限らず、画像として保存して利用してもよい。
【００８１】
図９は、予定の削除を行う際の記入例である。時間記入欄２２１に削除したい予定の開始時間を記入し、ノート記入欄２２３に取り消し線を記入する。予定を削除する場合はカテゴリー記入欄２２２への記入は特に必要なく、記入しても使用されない。また、ノート記入欄２２３に取り消し線以外のものが記入されていても使用されない。アプリケーション部３１は、ノート記入欄２２３の横幅に対して取り消し線が占める割合を計算し、ある一定値を超えたものと取り消し線とする。ある一定値に満たない場合は、取り消し線とみなされず、予定の削除は行われない。ここでは、例えば、取り消し線はノート記入欄２２３の横幅に対して、８割を占めなければならず、８割に満たない場合は取り消し線をみなされない。取り消し線は高さに特に基準がないため、横線１本引くことに限らなくてもよい。
【００８２】
図１０は、予定を記入するときに、各記入欄２２１、２２２、２２３をはみ出してしまった場合の例である。はみ出した部分の処理を行わないと、図７の記入は上下にはみ出しているため、３件の予定として登録され、そのうちの２件は無意味な予定が登録されてしまう。アプリケーション部３１では、文字または記号が予め設定された有効エリア内に記入されているかを判断する。具体的には、例えば、ノート記入欄２２３の高さに対して、記入した手書きの文字または記号の高さが占める割合を計算し、ある一定値を超えたものは正しく文字または記号が記入されたものとする。有効エリア外に記入された文字または記号は、日付解析部３１２および文字・記号解析部３１３により解析されない。すなわち、ある一定値を超えない場合は全てはみ出した記入とし、はみ出した部分の手書きデータを削除する。同様の処理を時間記入欄２２１およびカテゴリー記入欄２２２にも行い、全ての記入欄２２１、２２２、２２３に対してはみ出した記入を削除する。ここでは、各記入欄２２１、２２２、２２３の高さに対して、５割に満たない記入は誤ってはみ出した記入とみなし、はみ出した部分を削除してから手書きデータの処理、すなわち、日付解析部３１２および文字・記号解析部３１３による解析を行うものとした。
【００８３】
以上の説明は、本発明の実施の形態を説明するものであり、本発明が以上の実施の形態に限定されるものではない。また、当業者であれば、以上の実施の形態の各要素を、本発明の範囲において、容易に変更、追加、変換することが可能である。
【図面の簡単な説明】
【００８４】
【図１】本発明に係る実施の形態に係るスケジュール管理システムの全体構成を示す概略模式図である。
【図２】本発明に係る実施の形態に係るスケジュール管理システムの概略構成を示すブロック図である。
【図３】電子ペンの概略構成を示す模式図である。
【図４】アノト用紙の構成例を示す図である。
【図５】本発明の実施の形態に係るスケジュール管理システムの動作フローを示す図である。
【図６】本発明の実施の形態に係るスケジュール管理システムのスケジュール情報表示画面の一例を示す図である。
【図７】本発明の実施の形態に係るスケジュール管理システムのスケジュール情報表示画面の一例を示す図である。
【図８】アノト用紙の記入例を示す図である。
【図９】アノト用紙の記入例を示す図である。
【図１０】アノト用紙の記入例を示す図である。
【符号の説明】
【００８５】
１０  電子ペン
１１１  インクリフィル
１１３  圧力センサ
１１５  光学モジュール
１１７  カメラ
１１９  光照射装置
１２１  バッテリ
１２３  ＣＰＵ
１２５  メモリ
１２９  クロック
１３１  ＵＳＢ
１３３  無線通信システム
１３５  振動子
１３７  ＬＥＤ
１４１  位置情報取得部
２０  アノト用紙
２０５  トッドパターン
２０６  格子
２０７  交点
２０８  点
２１０  日付情報
２２０  スケジュール記入欄
２２１  時間記入欄
２２２  カテゴリー記入欄
２２３  ノート記入欄
３０ＰＣ
３１  アプリケーション部
３１１  文字・記号有効性判断部
３１２  日付解析部
３１３  文字・記号解析部
３１４  処理方法判断部
３１５  スケジュール管理部
３２  通信部
３３  記憶部
３４  表示部
【図１】
2008040688.tif 000003
【図２】
2008040688.tif 000004
【図３】
2008040688.tif 000005
【図４】
2008040688.tif 000006
【図５】
2008040688.tif 000007
【図６】
2008040688.tif 000008
【図７】
2008040688.tif 000009
【図８】
2008040688.tif 000010
【図９】
2008040688.tif 000011
【図１０】
2008040688.tif 000012